(57)【要約】【課題】ディスプレイにおける画像の表示位置が誤って変更される誤作動を抑制することができる表示制御方法、表示制御プログラム、および、携帯情報端末を提供する。【解決手段】画像を表示するディスプレイ１１と、該ディスプレイ１１に設けられ、物体の接触を検出するタッチパネル１５とを備える携帯情報端末１００によって使用され、タッチパネル１５への接触に基づいてディスプレイ１１における表示位置を変更可能なオブジェクト画像の表示を制御する表示制御方法であって、ディスプレイ１１に、オブジェクト画像とともにコントロール画像を表示させる表示ステップと、コントロール画像の表示領域に対応するタッチパネル１５への接触に基づいて、ディスプレイ１１におけるオブジェクト画像の表示位置を固定する固定ステップと、を備える。【選択図】図１
2014215916.tif 000002
【特許請求の範囲】
【請求項１】
画像を表示するディスプレイと、該ディスプレイに設けられ、物体の接触を検出するタッチパネルとを備える携帯情報端末によって使用され、前記タッチパネルへの接触に基づいて前記ディスプレイにおける表示位置を変更可能なオブジェクト画像の表示を制御する表示制御方法であって、
前記ディスプレイに、前記オブジェクト画像とともにコントロール画像を表示させる表示ステップと、
前記コントロール画像の表示領域に対応する前記タッチパネルへの接触に基づいて、前記ディスプレイにおける前記オブジェクト画像の表示位置を固定する固定ステップと、を備える、
表示制御方法。
【請求項２】
前記オブジェクト画像が前記ディスプレイにおける表示サイズを変更可能であり、
前記固定ステップは、前記ディスプレイにおける前記オブジェクト画像の表示サイズを固定することを含む、
請求項１に記載の表示制御方法。
【請求項３】
前記コントロール画像の表示領域に対応する前記タッチパネルへの接触に基づいて、前記固定ステップによる前記オブジェクト画像の固定を解除する解除ステップをさらに備える、
請求項１または２に記載の表示制御方法。
【請求項４】
前記コントロール画像は、前記ディスプレイにおける周縁部の所定領域に表示される、
請求項１ないし３のいずれか一項に記載の表示制御方法。
【請求項５】
前記コントロール画像は、前記ディスプレイに点滅表示される、
請求項１ないし４のいずれか一項に記載の表示制御方法。
【請求項６】
前記固定ステップにより前記オブジェクト画像が固定されたときに、前記ディスプレイに表示された前記コントロール画像を半透明にする半透明ステップをさらに備える、
請求項１ないし５のいずれか一項に記載の表示制御方法。
【請求項７】
画像を表示するディスプレイと、該ディスプレイに設けられ、物体の接触を検出するタッチパネルとを備える携帯情報端末によって実行され、前記タッチパネルへの接触に基づいて前記ディスプレイにおける表示位置を変更可能なオブジェクト画像の表示を制御する表示制御プログラムであって、
前記ディスプレイに、前記オブジェクト画像とともにコントロール画像を表示させる表示ステップと、
前記コントロール画像の表示領域に対応する前記タッチパネルへの接触に基づいて、前記ディスプレイにおける前記オブジェクト画像の表示位置を固定する固定ステップと、を備える、
表示制御プログラム。
【請求項８】
前記オブジェクト画像が前記ディスプレイにおける表示サイズを変更可能であり、
前記固定ステップは、前記ディスプレイにおける前記オブジェクト画像の表示サイズを固定することを含む、
請求項７に記載の表示制御プログラム。
【請求項９】
前記コントロール画像の表示領域に対応する前記タッチパネルへの接触に基づいて、前記固定ステップによる前記オブジェクト画像の固定を解除する解除ステップをさらに備える、
請求項７または８に記載の表示制御プログラム。
【請求項１０】
前記コントロール画像は、前記ディスプレイにおける周縁部の所定領域に表示される、
請求項７ないし９のいずれか一項に記載の表示制御プログラム。
【請求項１１】
前記コントロール画像は、前記ディスプレイに点滅表示される、
請求項７ないし１０のいずれか一項に記載の表示制御プログラム。
【請求項１２】
前記固定ステップにより前記オブジェクト画像が固定されたときに、前記ディスプレイに表示された前記コントロール画像を半透明にする半透明ステップをさらに備える、
請求項７ないし１１のいずれか一項に記載の表示制御プログラム。
【請求項１３】
画像を表示するディスプレイと、
前記ディスプレイに設けられ、物体の接触を検出するタッチパネルと、
請求項７ないし１２のいずれか一項に記載の表示制御プログラムを実行する制御部と、を備える、
携帯情報端末。
【発明の詳細な説明】
【技術分野】
【０００１】
本発明に係るいくつかの態様は、例えば、ディスプレイとタッチパネルとを備える携帯情報端末が使用しまたは実行する、表示制御方法、表示制御プログラム、および、その携帯情報端末に関する。
【背景技術】
【０００２】
従来、この種の携帯情報端末が備える表示入力装置として、画像を表示する表示部と、表示部上に設置されるタッチパネルと、タッチパネルの外周縁に設けられてタッチパネルを固定するエスカッションと、タッチパネルにおいてその外周縁から押すカッションの開口部の内側までに形成されて接触操作が無効とされる操作無効領域と、操作無効領域の内側に形成されて接触動作が有効とされる操作有効領域とを有するものが知られている（例えば、特許文献１参照）。
【先行技術文献】
【特許文献】
【０００３】
【特許文献１】特開２００６−２４４１５４号公報
【発明の概要】
【発明が解決しようとする課題】
【０００４】
ところで、携帯情報端末はその携帯性を重視して小型であり、ディスプレイの面積が狭い（小さい）。そのため、携帯情報端末のディスプレイに表示される画像には、タッチパネルへの接触、例えば、スクロールや不クックなどと呼ばれるタッチ操作またはジェスチャー操作により、ディスプレイにおける表示位置を変更可能なものが含まれる。
【０００５】
しかしながら、タッチパネルへの接触に基づいて表示位置を変更可能な画像がディスプレイに表示される場合、例えば、利用者（ユーザ）が意図せずにタッチパネルに触れてしまい、当該画像の表示位置が誤って変更される誤作動を招くことがあった。
【０００６】
本発明のいくつかの態様は前述の問題に鑑みてなされたものであり、ディスプレイにおける画像の表示位置が誤って変更される誤作動を抑制することができる表示制御方法、表示制御プログラム、および、携帯情報端末を提供することを目的の１つとする。
【課題を解決するための手段】
【０００７】
本発明に係る表示制御方法は、画像を表示するディスプレイと、該ディスプレイに設けられ、物体の接触を検出するタッチパネルとを備える携帯情報端末によって使用され、タッチパネルへの接触に基づいてディスプレイにおける表示位置を変更可能なオブジェクト画像の表示を制御する表示制御方法であって、ディスプレイに、前述のオブジェクト画像とともにコントロール画像を表示させる表示ステップと、前述のコントロール画像の表示領域に対応するタッチパネルへの接触に基づいて、ディスプレイにおける前述のオブジェクト画像の表示位置を固定する固定ステップと、を備える。
【０００８】
かかる構成によれば、ディスプレイにオブジェクト画像とともにコントロール画像が表示され、コントロール画像の表示領域に対応するタッチパネルへの接触に基づいて、オブジェクト画像の表示位置が固定される。これにより、タッチパネルへの接触に基づくオブジェクト画像の表示位置の変更を、無効化することができる。
【０００９】
好ましくは、前述のオブジェクト画像がディスプレイにおける表示サイズを変更可能であり、前述の固定ステップは、ディスプレイにおける前述のオブジェクト画像の表示サイズを固定することを含む。
【００１０】
かかる構成によれば、オブジェクト画像がディスプレイにおける表示サイズを変更可能であり、固定ステップが、オブジェクト画像の表示位置を固定することを含む。これにより、タッチパネルへの接触に基づくオブジェクト画像の表示サイズの変更を、無効化することができる。したがって、タッチパネルへの意図しない接触によってディスプレイにおけるオブジェクト画像の表示サイズが誤って変更される誤作動を、抑制することができる。
【００１１】
好ましくは、前述のコントロール画像の表示領域に対応するタッチパネルへの接触に基づいて、前述の固定ステップによる前述のオブジェクト画像の固定を解除する解除ステップをさらに備える。
【００１２】
かかる構成によれば、コントロール画像の表示領域に対応するタッチパネルへの接触に基づいて、固定ステップによる前述のオブジェクト画像の固定が解除される。これにより、タッチパネルへの接触に基づくオブジェクト画像の表示位置、もしくは、表示位置および表示サイズの変更を、再び有効化することができる。したがって、携帯情報端末の利用者（ユーザ）は、オブジェクト画像を固定した後でも、ディスプレイにおけるオブジェクト画像を再び任意の表示位置、もしくは、任意の表示位置および表示サイズに変更することができる。
【００１３】
好ましくは、前述のコントロール画像は、ディスプレイにおける周縁部の所定領域に表示される。
【００１４】
かかる構成によれば、コントロール画像がディスプレイにおける周縁部の所定領域に表示される。これにより、コントロール画像は、オブジェクト画像と重なってオブジェクト画像を遮る可能性が低減するとともに、仮にオブジェクト画像と重なる場合でも、重なる領域（範囲）が小さくなる。したがって、オブジェクト画像の視認性を低下させることなく、オブジェクト画像とともにコントロール画像を、ディスプレイに表示させることができる。
【００１５】
好ましくは、前述のコントロール画像は、ディスプレイに点滅表示される。
【００１６】
かかる構成によれば、コントロール画像がディスプレイに点滅表示される。これにより、コントロール画像がディスプレイの周縁部に表示される場合でも、携帯情報端末の利用者（ユーザ）の注意を喚起し、コントロール画像に対する操作を促すことができる。したがって、利用者（ユーザ）がオブジェクト画像の表示を固定する蓋然性が高まり、タッチパネルへの意図しない接触によってディスプレイにおけるオブジェクト画像の表示位置、もしくは、表示位置および表示サイズが誤って変更される誤作動を、さらに抑制することができる。
【００１７】
好ましくは、前述の固定ステップにより前述のオブジェクト画像が固定されたときに、ディスプレイに表示された前述のコントロール画像を半透明にする半透明ステップをさらに備える。
【００１８】
かかる構成によれば、固定ステップによりオブジェクト画像が固定されたときに、ディスプレイに表示されたコントロール画像が半透明になる。これにより、コントロール画像がオブジェクト画像と重なったまま固定される場合でも、携帯情報端末の利用者（ユーザ）は、コントロール画像を透視してオブジェクト画像を認識することが可能となる。したがって、オブジェクト画像の視認性を低下させることなく、オブジェクト画像とともにコントロール画像を、ディスプレイに表示させることができる。
【００１９】
また、本発明に係る表示制御プログラムは、画像を表示するディスプレイと、該ディスプレイに設けられ、物体の接触を検出するタッチパネルとを備える携帯情報端末によって実行され、タッチパネルへの接触に基づいてディスプレイにおける表示位置を変更可能なオブジェクト画像の表示を制御する表示制御プログラムであって、ディスプレイに、前述のオブジェクト画像とともにコントロール画像を表示させる表示ステップと、前述のコントロール画像の表示領域に対応するタッチパネルへの接触に基づいて、ディスプレイにおける前述のオブジェクト画像の表示位置を固定する固定ステップと、を備える。
【００２０】
かかる構成によれば、ディスプレイにオブジェクト画像とともにコントロール画像が表示され、コントロール画像の表示領域に対応するタッチパネルへの接触に基づいて、オブジェクト画像の表示位置が固定される。これにより、タッチパネルへの接触に基づくオブジェクト画像の表示位置の変更を、無効化することができる。
【００２１】
好ましくは、前述のオブジェクト画像がディスプレイにおける表示サイズを変更可能であり、前述の固定ステップは、ディスプレイにおける前述のオブジェクト画像の表示サイズを固定することを含む。
【００２２】
かかる構成によれば、オブジェクト画像がディスプレイにおける表示サイズを変更可能であり、固定ステップが、オブジェクト画像の表示位置を固定することを含む。これにより、タッチパネルへの接触に基づくオブジェクト画像の表示サイズの変更を、無効化することができる。したがって、タッチパネルへの意図しない接触によってディスプレイにおけるオブジェクト画像の表示サイズが誤って変更される誤作動を、抑制することができる。
【００２３】
好ましくは、前述のコントロール画像の表示領域に対応するタッチパネルへの接触に基づいて、前述の固定ステップによる前述のオブジェクト画像の固定を解除する解除ステップをさらに備える。
【００２４】
かかる構成によれば、コントロール画像の表示領域に対応するタッチパネルへの接触に基づいて、固定ステップによる前述のオブジェクト画像の固定が解除される。これにより、タッチパネルへの接触に基づくオブジェクト画像の表示位置、もしくは、表示位置および表示サイズの変更を、再び有効化することができる。したがって、携帯情報端末の利用者（ユーザ）は、オブジェクト画像を固定した後でも、ディスプレイにおけるオブジェクト画像を再び任意の表示位置、もしくは、任意の表示位置および表示サイズに変更することができる。
【００２５】
好ましくは、前述のコントロール画像は、ディスプレイにおける周縁部の所定領域に表示される。
【００２６】
かかる構成によれば、コントロール画像がディスプレイにおける周縁部の所定領域に表示される。これにより、コントロール画像は、オブジェクト画像と重なってオブジェクト画像を遮る可能性が低減するとともに、仮にオブジェクト画像と重なる場合でも、重なる領域（範囲）が小さくなる。したがって、オブジェクト画像の視認性を低下させることなく、オブジェクト画像とともにコントロール画像を、ディスプレイに表示させることができる。
【００２７】
好ましくは、前述のコントロール画像は、ディスプレイに点滅表示される。
【００２８】
かかる構成によれば、コントロール画像がディスプレイに点滅表示される。これにより、コントロール画像がディスプレイの周縁部に表示される場合でも、携帯情報端末の利用者（ユーザ）の注意を喚起し、コントロール画像に対する操作を促すことができる。したがって、利用者（ユーザ）がオブジェクト画像の表示を固定する蓋然性が高まり、タッチパネルへの意図しない接触によってディスプレイにおけるオブジェクト画像の表示位置、もしくは、表示位置および表示サイズが誤って変更される誤作動を、さらに抑制することができる。
【００２９】
好ましくは、前述の固定ステップにより前述のオブジェクト画像が固定されたときに、ディスプレイに表示された前述のコントロール画像を半透明にする半透明ステップをさらに備える。
【００３０】
かかる構成によれば、固定ステップによりオブジェクト画像が固定されたときに、ディスプレイに表示されたコントロール画像が半透明になる。これにより、コントロール画像がオブジェクト画像と重なったまま固定される場合でも、携帯情報端末の利用者（ユーザ）は、コントロール画像を透視してオブジェクト画像を認識することが可能となる。したがって、オブジェクト画像の視認性を低下させることなく、オブジェクト画像とともにコントロール画像を、ディスプレイに表示させることができる。
【００３１】
また、本発明に係る携帯情報端末は、画像を表示するディスプレイと、ディスプレイに設けられ、物体の接触を検出するタッチパネルと、前述した本発明の表示制御プログラムを実行する制御部と、を備える。
【００３２】
かかる構成によれば、携帯情報端末が、ディスプレイとタッチパネルと前述した本発明の表示制御プログラムを実行する制御部とを備える。これにより、制御部は、タッチパネルへの接触に基づくオブジェクト画像の表示位置の変更を、無効化することができる。
【発明の効果】
【００３３】
本発明の表示制御方法によれば、タッチパネルへの接触に基づくオブジェクト画像の表示位置の変更を、無効化することができる。したがって、タッチパネルへの意図しない接触によってディスプレイにおけるオブジェクト画像の表示位置が誤って変更される誤作動を、抑制することができる。
【００３４】
本発明の表示制御プログラムによれば、タッチパネルへの接触に基づくオブジェクト画像の表示位置の変更を、無効化することができる。したがって、タッチパネルへの意図しない接触によってディスプレイにおけるオブジェクト画像の表示位置が誤って変更される誤作動を、抑制することができる。
【００３５】
本発明の携帯情報端末によれば、制御部は、タッチパネルへの接触に基づくオブジェクト画像の表示位置の変更を、無効化することができる。したがって、タッチパネルへの意図しない接触によってディスプレイにおけるオブジェクト画像の表示位置が誤って変更される誤作動を、抑制することができる。
【図面の簡単な説明】
【００３６】
【図１】一実施形態における携帯端末の概略構成を説明する構成図である。
【図２】図１に示したディスプレイにおけるオブジェクト画像の表示位置を変更する操作の一例を説明する図である。
【図３】図１に示したディスプレイにおけるオブジェクト画像の表示サイズを変更する操作の一例を説明する図である。
【図４】図１に示したディスプレイにおけるオブジェクト画像の表示サイズを変更する操作の他の例を説明する図である。
【図５】図１に示したディスプレイに表示されるオブジェクト画像の表示を制御する処理手順の一例を示すフローチャートである。
【図６】図１に示したディスプレイに表示されるオブジェクト画像およびコントロール画像の一例を示す画面イメージ図である。
【図７】操作されたコントロール画像の一例を示す画面イメージ図である。
【発明を実施するための形態】
【００３７】
以下に本発明の実施の形態を説明する。以下の図面の記載において、同一または類似の部分には同一または類似の符号で表している。但し、図面は模式的なものである。したがって、具体的な寸法などは以下の説明を照らし合わせて判断するべきものである。また、図面相互間においても互いの寸法の関係や比率が異なる部分が含まれていることは勿論である。なお、以下の説明において、図面の上側を「上」、下側を「下」、左側を「左」、右側を「右」という。
【００３８】
図１ないし図７は、本発明に係る表示制御方法、表示制御プログラム、および、携帯情報端末の一実施形態を示すためのものである。図１は、一実施形態における携帯端末の概略構成を説明する構成図である。図１に示す携帯情報端末１００は、例えば、スマートフォン、携帯電話機、タブレット端末、携帯ゲーム機、ポータブルナビゲーション装置などの携帯型情報機器である。携帯情報端末１００は、例えば、電源を投入（オンに）するとＯＳ(Operating System)が起動し、ＯＳ上で、つまり、ＯＳの管理のもとで、各種のアプリケーションプログラムが実行（処理）可能になる。図１に示すように、携帯情報端末１００は、表示部１０と、制御部５０と、を備える。
【００３９】
表示部１０は、例えば、携帯情報端末１００の前面（正面）に配置され、情報を入力するため、および、情報を出力するためのものである。表示部１０は、例えば、ディスプレイ１１と、タッチパネル１５と、を含んで構成される。
【００４０】
ディスプレイ１１は、画像を表示するためのものであり、例えば、液晶ディスプレイ、ＥＬ(Electro Luminescence)ディスプレイ、プラズマディスプレイなどの表示装置である。ディスプレイ１１の上には、タッチパネル１５が設けられる。
【００４１】
なお、ディスプレイ１１が表示する画像には、タッチパネル１５への接触に基づいてディスプレイ１１における表示位置を変更可能な、後述のオブジェクト画像が含まれる。オブジェクト画像は、ディスプレイ１１における表示サイズ、つまり、縦およびい横の長さ、を変更可能であってもよい。
【００４２】
タッチパネル１５は、携帯情報端末１００の利用者（ユーザ）の指や爪、タッチペン（スタイラス）などの物体の接触を検出するためのものである。タッチパネル１５は、ディスプレイ１１の上面（表面）を覆うように配置される。タッチパネル１５に物体が接触すると、タッチパネル１５は、その接触時間に応じて検出信号を出力する。当該検出信号から、物体の接触点の数、物体の接触位置、例えば、ディスプレイ１１における座標、物体の接触時間、物体が接触したまま移動したときの移動経路および移動速度などの情報を特定することができる。
【００４３】
なお、タッチパネル１５は、例えば、静電容量方式、抵抗膜方式、表面弾性波方式、赤外線方式、電磁誘導方式などの方式が採用されるが、これらの方式に限定されない。タッチパネル１５は、物体の接触を検出可能であればよく、その動作原理の種類は問わない。また、タッチパネル１５は、二点以上の接触（入力）を検出可能なマルチタッチに対応するタッチパネルであることが好ましいが、これに限定されず、一点の接触（入力）を検出するタッチパネルであってもよい。
【００４４】
制御部５０は、表示部１０などの携帯情報端末１００の各部を制御するためのものである。また、制御部５０は、後述する本発明の表示制御方法を使用し、本発明の表示制御プログラムを実行するためのものでもある。制御部５０は、その機能構成として、入力制御部５１と、操作情報生成部５２と、アプリケーション実行部５３と、オブジェクト画像変更部５４と、表示制御部５５と、記憶部５６と、を備える。
【００４５】
入力制御部５１は、携帯情報端末１００に入力された情報（入力情報）を制御するためのものである。入力制御部５１は、タッチパネル１５に接続されており、タッチパネル１５から検出信号が入力される。入力制御部５１は、入力された検出信号に対し、例えば、信号増幅、フィルタリング、Ａ／Ｄ変換などの信号処理を施して、信号処理後の検出信号を出力する。
【００４６】
操作情報生成部５２は、入力情報および表示情報に基づいて操作情報を生成するためのものである。操作情報生成部５２は、入力制御部５１と、表示制御部５５と、に接続されている。操作情報生成部５２には、入力制御部５１から前述した検出信号が入力され、表示制御部５５から表示データが入力される。表示データは、ディスプレイ１１に表示される各画像の表示位置、例えば、ディスプレイ１１における座標と、表示領域の情報を含む。操作情報生成部５２は、検出信号と表示データとに基づいて、操作対象および操作内容を特定して操作情報を生成し、操作情報の種別(種類)に応じた出力先に出力する。
【００４７】
アプリケーション実行部５３は、アプリケーションプログラムを実行（処理）するためのものである。アプリケーション実行部５３が実行するアプリケーションプログラムは、例えば、ゲームプログラムである。アプリケーション実行部５３は、操作情報生成部５２と、記憶部５６と、に接続されている。アプリケーション実行部５３には、操作情報生成部５２から、ディスプレイ１１に表示されたオブジェクト画像に含まれる操作可能な画像を操作対象とする操作情報が入力される。アプリケーション実行部５３は、入力された操作情報に基づいてアプリケーションプログラムを実行する。そして、アプリケーション実行部５３は、記憶部５６からコンテンツデータＣＤを読み出し、当該コンテンツデータＣＤから、アプリケーションプログラムの実行結果に応じたオブジェクト画像を生成し、生成したオブジェクト画像を出力する。
【００４８】
アプリケーション実行部５３が生成するオブジェクト画像は、一つまたは複数のコンテンツデータＣＤから構成される。コンテンツデータＣＤは、例えば、動画、文字、記号、写真、絵、などのディスプレイ１１に表示可能な画像である。また、コンテンツデータＣＤは、操作可能な画像として、例えば、ＧＵＩ(Graphical User Interface)であってもよい。
【００４９】
なお、アプリケーション実行部５３が生成する画像は、オブジェクト画像のみに限定されない。アプリケーション処理部５３は、オブジェクト画像に加え、ディスプレイ１１における表示位置が静止した（不動の）画像も生成して出力してもよい。
【００５０】
オブジェクト画像変更部５４は、オブジェクト画像の表示を変更するためのものである。オブジェクト画像変更部５４は、操作情報生成部５２に接続されている。オブジェクト画像表示変更部５４には、操作情報生成部５２から、ディスプレイ１１に表示されたオブジェクト画像を操作対象とし、当該オブジェクト画像の表示を変更する操作内容の操作情報が入力される。オブジェクト画像変更部５４は、当該操作情報に基づいて、オブジェクト画像の表示位置および表示サイズのうちの少なくとも一方を変更する表示変更データを出力する。
【００５１】
表示制御部５５は、ディスプレイ１１に表示する画像を制御するためのものである。表示制御部５５は、操作情報生成部５２と、アプリケーション実行部５３と、オブジェクト画像変更部５４と、に接続されている。表示制御部５５は、アプリケーション実行部５３から入力されるオブジェクト画像と、オブジェクト画像変更部５４から入力される表示変更データと、に基づいて、表示信号を生成し、当該表示信号をディスプレイ１１に出力する。また、表示制御部５５は、ディスプレイ１１に表示する各画像について、ディスプレイ１１における表示位置、表示領域の情報を含む表示データを生成し、当該表示データを操作情報生成部５２に出力する。さらに、表示制御部５５には、操作情報生成部５２から、ディスプレイ１１に表示される後述のコントロール画像を操作対象とする操作情報が入力される。表示制御部５５は、当該操作情報に基づいて、後述の表示制御処理を実行する。
【００５２】
記憶部５６は、データを記憶するためのものである。記憶部５６には、例えば、複数のコンテンツデータＣＤと、後述するコントロール画像のためのアイコンデータＩＤと、が記憶されている。記憶部５６には、アプリケーション実行部５３と、表示制御部５５とがアクセス可能に接続している。コンテンツデータＣＤは、アプリケーション実行部５３によって読み出され、アイコンデータＩＤは、表示制御部５５によって読み出される。
【００５３】
なお、制御部５０は、例えば、ＣＰＵ(Central Processing Unit)、ＧＰＵ(Graphic Processing Unit)、ＲＯＭ(Read Only Memory)やＲＡＭ(Random Access Memory)、バッファなどのメモリ、入力インターフェースや出力インターフェースなどの各種インターフェース、および、これらを結ぶバスなどで構成することが可能である。一方、制御部５０を構成する各部、特に、操作情報生成部５２、アプリケーション実行部５３、オブジェクト画像変更部５４、および、表示制御部５４の各機能は、コンピュータ（マイクロプロセッサ）で実行されるプログラムによって実現することも可能である。したがって、制御部５０を構成する各部は、ハードウェア、ソフトウェア、もしくは、ハードウェアおよびソフトウェアの組み合わせによって実現可能であり、いずれかの場合に限定されない。
【００５４】
また、制御部５０を構成する各部のうちの複数の機能が、ソフトウェア、もしくは、ハードウェアおよびソフトウェアの組み合わせによって実現される場合、その処理は、マルチタスク、マルチスレッド、もしくは、マルチタスクおよびマルチスレッドの両方で実行可能であり、いずれかの場合に限定されない。
【００５５】
本実施形態では、本発明の携帯情報端末の一例として、図１に示した携帯情報端末１００を示したが、これに限定されない。携帯情報端末１００は、図１に示した構成の他に、例えば、カメラなどの撮像手段、マイクやスピーカーなどの音声入出力手段、操作スティック、物理ボタン、ハードウェアキーボードなどの入力手段、近接センサ、輝度センサ、加速度センサなどの検出手段、ＧＰＳ(Global Positioning System)機能などの測位手段、メモリカードなどのリムーバブルな記憶手段、外部機器と接続可能な入出力端子（入出力ポート）、バッテリー（二次電池）などの電力供給手段、などを備えていてもよい。
【００５６】
また、携帯情報端末１００は、一般に、移動体通信事業者の通信網を介した通信、無線ＬＡＮなどを利用したインターネット網を介した通信、Ｂｌｕｅｔｏｏｔｈ（登録商標）などの規格を利用した近接無線通信、ＩｒＤＡ(InfraRed Data Association)などの規格の赤外線通信、などの通信手段（通信機能）を備えるが、これに限定されない。携帯情報端末１００は、通信手段（通信機能）を備えていないものであってもよい。
【００５７】
次に、ディスプレイ１１に表示されるオブジェクト画像の表示を変更する動作（操作）について説明する。
【００５８】
図２は、図１に示したディスプレイ１１におけるオブジェクト画像の表示位置を変更する操作の一例を説明する図である。図２に示すように、携帯情報端末１００のディスプレイ１１には、アプリケーション実行部５３により生成された、例えば、円形のオブジェクト画像ＯＧ１が表示される。携帯情報端末１００の利用者（ユーザ）が、オブジェクト画像ＯＧ１の表示領域に、例えば、指Ｆを接触させた状態で、所定の方向、例えば、図２に示す白抜き矢印の方向に指Ｆを動かす（滑らせる）と、指Ｆの移動とともにオブジェクト画像ＯＧ１が移動し、移動後の指Ｆの接触位置に基づいて、ディスプレイ１１におけるオブジェクト画像ＯＧ１の表示位置が変更される。
【００５９】
この場合、操作情報生成部５２は、検出信号に基づいて移動前の指Ｆの接触位置を特定するとともに、表示データに基づいてオブジェクト画像ＯＧ１の表示領域を特定する。そして、操作情報生成部５２は、移動前の指Ｆの接触位置とオブジェクト画像ＯＧ１の表示領域との重畳（重なり）に基づいて、操作対象がオブジェクト画像ＯＧ１か否かを判定し、図２の例の場合、移動前の指Ｆは、オブジェクト画像ＯＧ１の表示領域に対応するタッチパネルの一部に接触しているので、オブジェクト画像ＯＧ１が操作対象となる。また、操作情報生成部５２は、検出信号に基づいて、移動後の指Ｆの接触位置を特定するとともに、指Ｆの接触態様（接触状態）、すなわち、指Ｆを接触させたまま所定の方向に動かす動作、いわゆるスクロールまたはドラッグと呼ばれるタッチ操作（ジェスチャー操作）を特定する。そして、操作情報生成部５２は、タッチ操作に対応付け（紐付け）られた操作内容、例えば、表示位置の変更と、前述した移動後の指Ｆの接触位置と、前述した操作対象とを含む操作情報を生成し、当該操作情報をオブジェクト画像変更部５４に出力する。オブジェクト画像変更部５４は、操作情報に基づいて、オブジェクト画像ＯＧ１の表示位置を、移動後の指Ｆの接触位置に基づく位置に変更する表示変更データを、表示制御部５５に出力する。表示制御部５５は、アプリケーション実行部５３から入力されるオブジェクト画像と、オブジェクト画像変更部５４から入力される表示変更データと、に基づいて、表示信号を生成してディスプレイ１１に出力する。このようにして、図２に示すように、ディスプレイ１１の下方に表示されていたオブジェクト画像ＯＧ１の表示位置が、ディスプレイ１１の上方に変更される。
【００６０】
なお、図２では、オブジェクト画像の表示位置の変更と、いわゆるスクロールまたはドラッグと呼ばれるタッチ操作（ジェスチャー操作）とを対応させる例を示したが、これに限定されない。例えば、オブジェクト画像の表示位置の変更は、指Ｆを接触させたまま所定の方向に素早く（高速で）動かす動作、いわゆるフリックと呼ばれるタッチ操作（ジェスチャー操作）に対応付け（紐付け）られてもよいし、スクロールまたはドラッグと、フリックとの両方に対応付け（紐付け）られてもよい。
【００６１】
図３は、図１に示したディスプレイ１１におけるオブジェクト画像の表示サイズを変更する操作の一例を説明する図である。図３に示すように、携帯情報端末１００のディスプレイ１１には、図２と同様に、円形のオブジェクト画像ＯＧ１が表示される。携帯情報端末１００の利用者（ユーザ）が、オブジェクト画像ＯＧ１の表示領域に、例えば、指Ｆ１および指Ｆ２の二点で接触させた状態で、例えば、図３に示す白抜き矢印のように、指Ｆ１および指Ｆ２の間隔を広げると、指Ｆ１および指Ｆ２の移動とともにオブジェクト画像ＯＧ１が拡大し、指Ｆ１および指Ｆ２の移動距離に基づいて、オブジェクト画像ＯＧ１の表示サイズ（縦および横の長さ）が変更される。
【００６２】
この場合、操作情報生成部５２は、検出信号に基づいて移動前の指Ｆ１および指Ｆ２の接触位置を特定するとともに、表示データに基づいてオブジェクト画像ＯＧ１の表示領域を特定する。そして、操作情報生成部５２は、移動前の指Ｆ１および指Ｆ２の接触位置とオブジェクト画像ＯＧ１の表示領域との重畳（重なり）に基づいて、操作対象がオブジェクト画像ＯＧ１か否かを判定し、図３の例の場合、移動前の指Ｆ１および指Ｆ２は、オブジェクト画像ＯＧ１の表示領域に対応するタッチパネルの一部に接触しているので、オブジェクト画像ＯＧ１が操作対象となる。また、操作情報生成部５２は、検出信号に基づいて、移動後の指Ｆ１および指Ｆ２の接触位置を特定するとともに、指Ｆ１および指Ｆ２の接触態様（接触状態）、すなわち、指Ｆ１および指Ｆ２を接触させたまま広げる動作、いわゆるピンチアウトまたはスプレッドと呼ばれるタッチ操作（ジェスチャー操作）を特定する。そして、操作情報生成部５２は、タッチ操作に対応付け（紐付け）られた操作内容、例えば、表示サイズを拡大する変更と、前述した移動前後の指Ｆ１および指Ｆ２の接触位置に基づく指Ｆ１および指Ｆ２の移動距離と、前述した操作対象とを含む操作情報を生成し、当該操作情報をオブジェクト画像変更部５４に出力する。オブジェクト画像変更部５４は、操作情報に基づいて、オブジェクト画像ＯＧ１の表示サイズを、指Ｆ１および指Ｆ２の移動距離に応じた拡大率で拡大する表示変更データを、表示制御部５５に出力する。表示制御部５５は、アプリケーション実行部５３から入力されるオブジェクト画像と、オブジェクト画像変更部５４から入力される表示変更データと、に基づいて、表示信号を生成してディスプレイ１１に出力する。このようにして、図３に示すように、ディスプレイ１１に表示されていたオブジェクト画像ＯＧ１が拡大され、オブジェクト画像ＯＧ１の表示サイズが変更される。
【００６３】
なお、図２の場合と同様に、オブジェクト画像の表示サイズを拡大する変更は、いわゆるピンチアウトまたはスプレッドと呼ばれるタッチ操作（ジェスチャー操作）に対応付け（紐付け）られる場合に限定されない。オブジェクト画像の表示サイズを拡大する変更は、ピンチアウトまたはスプレッドに代えて、または、これととともに、他のタッチ操作（ジェスチャー操作）に対応付け（紐付け）られてもよい。
【００６４】
図４は、図１に示したディスプレイ１１におけるオブジェクト画像の表示サイズを変更する操作の他の例を説明する図である。図４に示すように、携帯情報端末１００のディスプレイ１１には、図２および図３と同様に、円形のオブジェクト画像ＯＧ１が表示される。携帯情報端末１００の利用者（ユーザ）が、オブジェクト画像ＯＧ１の表示領域に、例えば、指Ｆ１および指Ｆ２の二点で接触させた状態で、例えば、図４に示す白抜き矢印のように、指Ｆ１および指Ｆ２の間隔を狭める（指Ｆ１と指Ｆ２とを近づける）と、指Ｆ１および指Ｆ２の移動とともにオブジェクト画像ＯＧ１が縮小し、指Ｆ１および指Ｆ２の移動距離に基づいて、オブジェクト画像ＯＧ１の表示サイズ（縦および横の長さ）が変更される。
【００６５】
この場合、操作情報生成部５２は、検出信号に基づいて移動前の指Ｆ１および指Ｆ２の接触位置を特定するとともに、表示データに基づいてオブジェクト画像ＯＧ１の表示領域を特定する。そして、操作情報生成部５２は、移動前の指Ｆ１および指Ｆ２の接触位置とオブジェクト画像ＯＧ１の表示領域との重畳（重なり）に基づいて、操作対象がオブジェクト画像ＯＧ１か否かを判定し、図４の例の場合、移動前の指Ｆ１および指Ｆ２は、オブジェクト画像ＯＧ１の表示領域に対応するタッチパネルの一部に接触しているので、オブジェクト画像ＯＧ１が操作対象となる。また、操作情報生成部５２は、検出信号に基づいて、移動後の指Ｆ１および指Ｆ２の接触位置を特定するとともに、指Ｆ１および指Ｆ２の接触態様（接触状態）、すなわち、指Ｆ１および指Ｆ２を接触させたまま狭める動作、いわゆるピンチインまたは単にピンチと呼ばれるタッチ操作（ジェスチャー操作）を特定する。そして、操作情報生成部５２は、タッチ操作に対応付け（紐付け）られた操作内容、例えば、表示サイズを縮小する変更と、前述した移動前後の指Ｆ１および指Ｆ２の接触位置に基づく指Ｆ１および指Ｆ２の移動距離と、前述した操作対象とを含む操作情報を生成し、当該操作情報をオブジェクト画像変更部５４に出力する。オブジェクト画像変更部５４は、操作情報に基づいて、オブジェクト画像ＯＧ１の表示サイズを、指Ｆ１および指Ｆ２の移動距離に応じた縮小率で縮小する表示変更データを、表示制御部５５に出力する。表示制御部５５は、アプリケーション実行部５３から入力されるオブジェクト画像と、オブジェクト画像変更部５４から入力される表示変更データと、に基づいて、表示信号を生成してディスプレイ１１に出力する。このようにして、図４に示すように、ディスプレイ１１に表示されていたオブジェクト画像ＯＧ１が縮小され、オブジェクト画像ＯＧ１の表示サイズが変更される。
【００６６】
なお、図２および図３の場合と同様に、オブジェクト画像の表示サイズを縮小する変更は、いわゆるピンチインまたはピンチと呼ばれるタッチ操作（ジェスチャー操作）に対応付け（紐付け）られる場合に限定されない。オブジェクト画像の表示サイズを縮小する変更は、ピンチインまたはピンチに代えて、または、これととともに、他のタッチ操作（ジェスチャー操作）に対応付け（紐付け）られてもよい。
【００６７】
本実施形態では、図２ないし図４において、オブジェクト画像ＯＧ１が、ディスプレイ１１における表示位置を変更可能であり、かつ、ディスプレイ１１における表示サイズを変更可能である例を示したが、これに限定されない。オブジェクト画像ＯＧ１は、ディスプレイ１１における表示位置を変更可能であればよく、ディスプレイ１１における表示サイズが変更不能であってもよい。
【００６８】
また、本実施形態では、図２ないし図４において、説明の簡略化のため、オブジェクト画像ＯＧ１の全体がディスプレイ１１に表示される例を示したが、これに限定されない。オブジェクト画像ＯＧ１は、その一部がディスプレイ１１に表示されてもよい。この場合、オブジェクト画像ＯＧ１の表示位置または表示サイズが変更された結果、変更後のオブジェクト画像ＯＧ１は、その一部がディスプレイ１１に表示され得る。
【００６９】
次に、本発明の表示制御方法および表示制御プログラムを説明する。
【００７０】
図５は、図１に示したディスプレイに表示されるオブジェクト画像の表示を制御する処理手順の一例を示すフローチャートである。
【００７１】
携帯情報端末１００は、例えば、アプリケーションプログラムの起動時に、制御部５０が図５に示す表示制御処理Ｓ２００を実行する。
【００７２】
最初に、表示制御部５５は、アプリケーション実行部５３のオブジェクト画像とオブジェクト画像変更部５４の表示変更データとに基づく表示信号をディスプレイ１１に出力し、オブジェクト画像をディスプレイ１１に表示させる。そして、表示制御部５５は、記憶部５６からアイコンデータＩＤを読み出してコントロール画像を生成して表示信号をディスプレイ１１に出力し、ディスプレイ１１にオブジェクト画像とともにコントロール画像を表示させる（Ｓ２０１）。
【００７３】
なお、表示制御部５５は、オブジェクト画像をディスプレイ１１に表示させる処理は、表示制御処理Ｓ２００のＳ２０１のステップが行う場合に限定されない。表示制御部５５が実行する他の処理によってオブジェクト画像をディスプレイ１１に表示させてもよい。この場合、表示制御部５５は、当該他の処理を表示制御処理Ｓ２００と同時に（並列に）実行する。
【００７４】
図６は、図１に示したディスプレイ１１に表示されるオブジェクト画像およびコントロール画像の一例を示す画面イメージ図である。図６に示すように、ディスプレイ１１に表示されるオブジェクト画像ＯＧ２は、例えば、パチスロのシミュレーションゲームの画像である。図６に示すオブジェクト画像ＯＧ２は、その一部、上端部および下端部がディスプレイ１１に表示されていない。オブジェクト画像ＯＧ２は、演出画像ｇ１と、リール画像ｇ２，ｇ３，ｇ４と、スタートスイッチ画像ｇ５と、ストップスイッチ画像ｇ６，ｇ７，ｇ８と、ゲームタイトル画像ｇ９と、を含んで構成される。
【００７５】
スタートスイッチ画像ｇ５には、リールの回転を開始させる機能が割り当てられており、携帯情報端末１００の利用者（ユーザ）が、スタートスイッチ画像ｇ５の表示領域に、例えば、指を接触させる、いわゆるタップと呼ばれるタッチ操作（ジェスチャー操作）を行うと、アプリケーション実行部５３は、操作情報に基づいてアプリケーションプログラムを実行し、リールが回転して見えるように、リール画像ｇ２，ｇ３，ｇ４の絵柄が変化するオブジェクト画像を生成する。
【００７６】
ストップスイッチ画像ｇ６はリール画像ｇ２の、ストップスイッチ画像ｇ７はリール画像ｇ３の、ストップスイッチ画像ｇ８はリール画像ｇ４の、回転を停止させる機能がそれぞれ割り当てられている。携帯情報端末１００の利用者（ユーザ）が、スタートスイッチ画像ｇ５を操作してリールを回転させた後、例えば、ストップスイッチ画像ｇ６の表示領域に指を接触させる、いわゆるタップと呼ばれるタッチ操作（ジェスチャー操作）を行うと、アプリケーション実行部５３は、操作情報に基づいてアプリケーションプログラムを実行し、リールの回転が停止して見えるように、リール画像ｇ２の絵柄が固定したオブジェクト画像を生成する。
【００７７】
また、ディスプレイ１１には、オブジェクト画像ＯＧ２の上方に、静止画像ＳＧ１，ＳＧ２，ＳＧ３が表示される。静止画像ＳＧ１，ＳＧ２，ＳＧ３は、例えば、アプリケーション実行部５３がアプリケーションプログラムの実行結果に基づいて、オブジェクト画像ＯＧ２とともに、生成される画像である。静止画像ＳＧ１，ＳＧ２，ＳＧ３は、オブジェクト画像ＯＧ２と異なり、ディスプレイ１１における表示位置が変更できない（変更不能な）画像である。
【００７８】
さらに、ディスプレイ１１には、オブジェクト画像ＯＧ２の一部、図６に示すようにゲームタイトル画像ｇ９の左下端の上に、重畳してコントロール画像ＣＧが表示される。コントロール画像ＣＧは、例えば、矢印の十字（矢十字）を模した画像である。このように、コントロール画像ＣＧとして表示位置の制御を想起させる画像を使用することで、携帯情報端末１００の利用者（ユーザ）は、オブジェクト画像ＯＧ２の表示位置の制御に係るものであることを直感的に理解しやすくなる。
【００７９】
なお、コントロール画像ＣＧは、ディスプレイ１１における周縁部の所定領域、例えば、図６に示すようにディスプレイ１１の下端部に、表示されることが好ましい。これにより、コントロール画像ＣＧは、オブジェクト画像ＯＧ２と重なってオブジェクト画像ＯＧ２を遮る可能性が低減するとともに、仮にオブジェクト画像ＯＧ２と重なる場合でも、重なる領域（範囲）が小さくなる。
【００８０】
なお、Ｓ２０１のステップの実行時点では、図２ないし図４に示したオブジェクト画像ＯＧ１のように、タッチパネル１５への接触により、その接触態様に基づいて、オブジェクト画像ＯＧ２の表示位置、もしくは、表示位置および表示サイズを変更することが可能である。
【００８１】
図５に示すように、次に、表示制御部５５は、操作情報生成部５２から入力される操作情報に基づいて、コントロール画像ＣＧが操作されたか否かを判定する（Ｓ２０２）。
【００８２】
具体的には、例えば、操作情報生成部５２は、検出信号から接触位置を特定し、操作情報生成部５２は、検出信号に基づいて物体、例えば、指の接触位置を特定するとともに、表示データに基づいてコントロール画像ＣＧの表示領域を特定する。そして、操作情報生成部５２は、指の接触位置とコントロール画像ＣＧの表示領域との重畳（重なり）に基づいて、操作対象がコントロール画像ＣＧか否かを判定する。すなわち、コントロール画像ＣＧの表示領域に対応するタッチパネルの一部に指が接触したときに、操作情報生成部５２は、コントロール画像ＣＧか操作対象であると判定する。操作対象がコントロール画像ＣＧである場合、操作情報生成部５２は、コントロール画像ＣＧを操作対象とする操作情報を生成し、当該操作情報を操作情報制御部５５に出力する。よって、操作情報制御部５５は、操作情報に含まれる操作対象に基づいて、コントロール画像ＣＧが操作されたか否かを判定することができる。
【００８３】
Ｓ２０２の判定の結果、コントロール画像ＣＧが操作された場合、表示制御部５５は、オブジェクト画像ＯＧ２が固定済か否かを判定する（Ｓ２０３）。
【００８４】
具体的には、例えば、変数である固定フラグをあらかじめ定義（宣言）しておき、表示制御部５５は、固定フラグの値に基づいて、オブジェクト画像ＯＧ２が固定済か否かを判定する。固定フラグにはデフォルト値（初期値）、例えば、ゼロが設定されており、表示制御部５５は、固定フラグの値がゼロである場合、オブジェクト画像ＯＧ２が固定されていないと判定し、固定フラグの値がゼロ以外である場合、オブジェクト画像ＯＧ２が固定済である（固定されている）と判定する。
【００８５】
一方、Ｓ２０２の判定の結果、コントロール画像ＣＧが操作されていない場合、表示制御部５５は、コントロール画像ＣＧが操作されＳ２０２のステップを繰り返す。
【００８６】
Ｓ２０３の判定の結果、オブジェクト画像ＯＧ２が固定されていない場合、表示制御部５５は、オブジェクト画像ＯＧ２の表示位置を固定する（Ｓ２０４）。これにより、これにより、タッチパネル１５への接触に基づくオブジェクト画像ＯＧ２の表示位置の変更を、無効化することができる。
【００８７】
具体的には、例えば、表示制御部５５は、オブジェクト画像変更部５４からオブジェクト画像ＯＧ２の表示位置を変更する表示変更データが入力されても、これを廃棄（無視）し、アプリケーション実行部５３から入力されるオブジェクト画像のみに基づいて、表示信号を生成してディスプレイ１１に出力する。
【００８８】
あるいは、例えば、制御部５０は、前述した固定フラグをグローバル変数（共通変数）としてあらかじめ定義（宣言）しておく。そして、操作情報生成部５２は、検出信号が入力されたときに固定フラグを参照し、固定フラグの値がデフォルト値（初期値）であれば、オブジェクト画像ＯＧ２を操作対象とし、表示位置の変更を操作内容とする操作情報を生成しないようにしてもよい。または、オブジェクト画像変更部５４は、操作情報が入力されたときに固定フラグを参照し、固定フラグの値がデフォルト値（初期値）であれば、表示変更データを表示制御部５５に出力しないようにしてもよい。
【００８９】
また、表示制御部５５は、固定フラグにデフォルト値（初期値）以外の値、例えば、「１」を設定する。これにより、表示制御部５５は、Ｓ２０３のステップにおいて、固定フラグの値に基づいて、オブジェクト画像ＯＧ２が固定済である（固定されている）と判定することができる。
【００９０】
次に、表示制御部５５は、オブジェクト画像ＯＧ２の表示サイズを固定する（Ｓ２０５）。これにより、タッチパネル１５への接触に基づくオブジェクト画像ＯＧ２の表示サイズの変更を、無効化することができる。
【００９１】
具体的には、例えば、表示制御部５５は、オブジェクト画像変更部５４からオブジェクト画像ＯＧ２の表示サイズを変更する表示変更データが入力されても、これを廃棄（無視）し、アプリケーション実行部５３から入力されるオブジェクト画像のみに基づいて、表示信号を生成してディスプレイ１１に出力する。
【００９２】
あるいは、Ｓ２０４のステップの例と同様に、例えば、前述した固定フラグをグローバル変数（共通変数）としてあらかじめ定義（宣言）しておく。そして、操作情報生成部５２は、検出信号が入力されたときに固定フラグを参照し、固定フラグの値がデフォルト値（初期値）であれば、オブジェクト画像ＯＧ２を操作対象とし、表示サイズの変更を操作内容とする操作情報を生成しないようにしてもよい。または、オブジェクト画像変更部５４は、操作情報が入力されたときに固定フラグを参照し、固定フラグの値がデフォルト値（初期値）であれば、表示変更データを表示制御部５５に出力しないようにしてもよい。
【００９３】
次に、表示制御部５５は、ディスプレイ１１に所定の表示信号を出力し、ディスプレイ１１に表示されたコントロール画像ＣＧを半透明にする（Ｓ２０６）。
【００９４】
図７は、操作されたコントロール画像ＣＧの一例を示すイメージ図である。図７に示すように、ディスプレイ１１に表示されたコントロール画像ＣＧは半透明になる。これにより、コントロール画像ＣＧがオブジェクト画像ＯＧ２と重なったまま固定される場合でも、携帯情報端末１００の利用者（ユーザ）は、コントロール画像ＣＧを透視してオブジェクト画像ＯＧ２を認識することが可能となる。
【００９５】
次に、図５に示すＳ２０６のステップの後、表示制御部５５は、Ｓ２０２のステップに戻り、アプリケーションプログラムの停止（終了）まで、表示制御処理Ｓ２００を繰り返す。
【００９６】
本実施形態では、Ｓ２０４のステップにおいて、表示制御部５５が固定フラグにデフォルト値（初期値）以外の値を設定する例をしめしたが、これに限定されない。表示制御部５５は、Ｓ２０５またはＳ２０６のステップにおいて、固定フラグにデフォルト値（初期値）以外の値を設定してもよい。
【００９７】
一方、Ｓ２０３の判定の結果、オブジェクト画像ＯＧ２が固定済である場合、すなわち、既にコントロール画像ＣＧが操作されており、例えば、Ｓ２０４のステップにおいて固定フラグに「１」が設定されていたときに、表示制御部５５は、オブジェクト画像ＯＧ２の固定を解除する（Ｓ２０７）。これにより、タッチパネル１５への接触に基づくオブジェクト画像ＯＧ２の表示位置、もしくは、表示位置および表示サイズの変更を、再び有効化することができる。
【００９８】
具体的には、例えば、表示制御部５５は、オブジェクト画像変更部５４から表示変更データが入力された場合に、これを受け取り（受け入れ）、当該表示変更データと、アプリケーション実行部５３から入力されるオブジェクト画像とに基づいて、表示信号を生成してディスプレイ１１に出力する。
【００９９】
Ｓ２０７のステップの後、表示制御部５５は、Ｓ２０１のステップに戻り、アプリケーションプログラムの停止（終了）まで、表示制御処理Ｓ２００を繰り返す。
【０１００】
本実施形態では、Ｓ２０１のステップにおいて、図６に示したように、ディスプレイ１１にコントロール画像ＣＧを単に表示する例を示したが、これに限定されない。表示制御部５５は、ディスプレイ１１に表示させるコントロール画像ＣＧを、単位時間あたりに表示と非表示とを複数回繰り返す表示、すなわち、点滅表示させることが好ましい。これにより、コントロール画像ＣＧがディスプレイ１１の周縁部に表示される場合でも、携帯情報端末１００の利用者（ユーザ）の注意を喚起し、コントロール画像ＣＧに対する操作を促すことができる。
【０１０１】
また、Ｓ２０１のステップにおいて、表示制御部５５は、コントロール画像ＣＧとともに、所定のメッセージ、例えば、「オブジェクト画像の表示位置は変更可能である」旨をディスプレイ１１に表示させてもよい。これにより、携帯情報端末１００の利用者（ユーザ）は、オブジェクト画像ＯＧ２の表示位置を任意の位置に変更することができる。この場合、表示制御部５５は、メッセージＭＧを表示した後、所定時間経過後に、当該メッセージを消すようにしてもよい。
【０１０２】
このように、本実施形態の表示制御方法および表示制御プログラムによれば、ディスプレイ１１にオブジェクト画像ＯＧ２とともにコントロール画像ＣＧが表示され、コントロール画像ＣＧの表示領域に対応するタッチパネル１５への接触に基づいて、オブジェクト画像ＯＧ２の表示位置が固定される。したがって、タッチパネル１５への意図しない接触によってディスプレイ１１におけるオブジェクト画像ＯＧ２の表示位置が誤って変更される誤作動を、抑制することができる。
【０１０３】
また、本実施形態の表示制御方法および表示制御プログラムによれば、オブジェクト画像ＯＧ２がディスプレイ１１における表示サイズを変更可能であり、コントロール画像ＣＧの表示領域に対応するタッチパネル１５への接触に基づいて、オブジェクト画像ＯＧ２の表示位置が固定される。これにより、タッチパネル１５への接触に基づくオブジェクト画像ＯＧ２の表示サイズの変更を、無効化することができる。したがって、タッチパネル１５への意図しない接触によってディスプレイ１１におけるオブジェクト画像ＯＧ２の表示サイズが誤って変更される誤作動を、抑制することができる。
【０１０４】
また、本実施形態の表示制御方法および表示制御プログラムによれば、コントロール画像ＣＧの表示領域に対応するタッチパネル１５への接触に基づいて、オブジェクト画像ＯＧ２の固定が解除される。これにより、タッチパネル１５への接触に基づくオブジェクト画像ＯＧ２の表示位置、もしくは、表示位置および表示サイズの変更を、再び有効化することができる。したがって、携帯情報端末１００の利用者（ユーザ）は、オブジェクト画像ＯＧ２を固定した後でも、ディスプレイ１１におけるオブジェクト画像ＯＧ２を再び任意の表示位置、もしくは、任意の表示位置および表示サイズに変更することができる。
【０１０５】
また、本実施形態の表示制御方法および表示制御プログラムによれば、コントロール画像ＣＧが、ディスプレイ１１の周縁部の所定領域に表示される。これにより、コントロール画像ＣＧは、オブジェクト画像ＯＧ２と重なってオブジェクト画像ＯＧ２を遮る可能性が低減するとともに、仮にオブジェクト画像ＯＧ２と重なる場合でも、重なる領域（範囲）が小さくなる。したがって、オブジェクト画像ＯＧ２の視認性を低下させることなく、オブジェクト画像ＯＧ２とともにコントロール画像ＣＧを、ディスプレイ１１に表示させることができる。
【０１０６】
また、本実施形態の表示制御方法および表示制御プログラムによれば、コントロール画像ＣＧがディスプレイ１１に点滅表示される。これにより、コントロール画像ＣＧがディスプレイ１１の周縁部に表示される場合でも、携帯情報端末１００の利用者（ユーザ）の注意を喚起し、コントロール画像ＣＧに対する操作を促すことができる。したがって、利用者（ユーザ）がオブジェクト画像ＯＧ２の表示を固定する蓋然性が高まり、タッチパネル１５への意図しない接触によってディスプレイ１１におけるオブジェクト画像ＯＧ２の表示位置、もしくは、表示位置および表示サイズが誤って変更される誤作動を、さらに抑制することができる。
【０１０７】
また、本実施形態の表示制御方法および表示制御プログラムによれば、オブジェクト画像ＯＧ２が固定されたときに、ディスプレイ１１に表示されたコントロール画像ＣＧが半透明になる。これにより、コントロール画像ＣＧがオブジェクト画像ＯＧ２と重なったまま固定される場合でも、携帯情報端末１００の利用者（ユーザ）は、コントロール画像ＣＧを透視してオブジェクト画像ＯＧ２を認識することが可能となる。したがって、オブジェクト画像ＯＧ２の視認性を低下させることなく、オブジェクト画像ＯＧ２とともにコントロール画像ＣＧを、ディスプレイ１１に表示させることができる。
【０１０８】
また、本実施形態における携帯情報端末１００によれば、ディスプレイ１１とタッチパネル１５と前述した本発明の表示制御プログラムを実行する制御部５０とを備える。これにより、制御部５０は、タッチパネルへの接触に基づくオブジェクト画像の表示位置の変更を、無効化することができる。したがって、タッチパネルへの意図しない接触によってディスプレイにおけるオブジェクト画像の表示位置が誤って変更される誤作動を、抑制することができる。
【０１０９】
また、本実施形態における携帯情報端末１００によれば、制御部５０が前述した本発明の表示制御プログラムを実行するので、前述した本発明の表示制御プログラムと同様の作用効果を得ることができる。
【０１１０】
なお、前述した実施形態の構成および動作は、組み合わせたり、あるいは一部の構成部分を入れ替えたりしたりしてもよい。また、本発明の構成および動作は前述した実施形態のみに限定されるものではなく、本発明の要旨を逸脱しない範囲内において種々変更を加えてもよい。
【符号の説明】
【０１１１】
１０…表示部
１１…ディスプレイ
１５…タッチパネル
５０…制御部
５１…入力制御部
５２…操作情報生成部
５３…アプリケーション実行部
５４…オブジェクト画像変更部
５５…表示制御部
５６…記憶部
１００…携帯情報端末
ＣＤ…コンテンツデータ
ＣＧ…コントロール画像
Ｆ，Ｆ１，Ｆ２…指
ｇ１…演出画像
ｇ２，ｇ３，ｇ４…リール画像
ｇ５…スタートスイッチ画像
ｇ６，ｇ７，ｇ８…ストップスイッチ画像
ｇ９…ゲームタイトル画像
ＩＤ…アイコンデータ
ＯＧ１，ＯＧ２…オブジェクト画像
ＳＧ１，ＳＧ２，ＳＧ３…静止画像
【図１】
2014215916.tif 000003
【図２】
2014215916.tif 000004
【図３】
2014215916.tif 000005
【図４】
2014215916.tif 000006
【図５】
2014215916.tif 000007
【図６】
2014215916.tif 000008
【図７】
2014215916.tif 000009